(57)【要約】【課題】端子係止ランスに捩れが生じ難く、捩れに起因した耐久性の低下を防止することができ、しかも、射出整形による端子係止ランスの成形性を向上させることができるコネクタハウジングを提供すること。【解決手段】端子収容孔１０に挿入された端子金具を抜け止めする端子係止ランス３０が、端子金具の挿入方向に沿って延在すると共にその前後端がハウジングに繋がる撓み片３１と、該撓み片３１の前後方向の中間部に突設された端子係止突起３２と、を備えるコネクタハウジング１において、撓み片３１の端子係止突起３２よりも前方に位置する前側撓み部３１１の前端の端子収容孔１０側の面をハウジングの収容孔前端壁２０に繋げる前端つなぎ部３１４と、前側撓み部３１１の後端を端子収容孔１０の側壁に連結する後端つなぎ部３１５と、を備える。【選択図】図１
2015079663.tif 000002
【特許請求の範囲】
【請求項１】
後端側から端子金具が挿入される端子収容孔と、
前記端子収容孔の前端に位置し、前記端子収容孔に挿入される前記端子金具の前端に当接して前記端子金具を正規の装着位置に位置決めする収容孔前端壁と、
前記端子収容孔の一側において前記端子金具の挿入方向に沿って延在すると共に後端がハウジングの後端に繋がり前端がハウジングの前端に繋がり、前後方向の中間部が前記端子金具の挿入方向と直交する方向に撓み変位可能な撓み片と、前記端子収容孔内に突出するように前記撓み片の前後方向の中間部に突設されて前記端子金具が前記端子収容孔内の正規装着位置まで挿入されたときに前記端子金具に係合して前記端子金具を抜け止めする端子係止突起と、を備えた端子係止ランスと、
を備える樹脂製のコネクタハウジングであって、
前記撓み片の前記端子係止突起よりも前方に位置する前側撓み部の前端の前記端子収容孔側の面を前記収容孔前端壁に繋げる前端つなぎ部と、
前記前側撓み部の後端を前記端子収容孔の側壁に連結する後端つなぎ部と、
を備えたことを特徴とするコネクタハウジング。
【請求項２】
前記後端つなぎ部は、前記前側撓み部の後端の一方の側縁寄りの位置を前記端子収容孔の一方の側壁に連結する第１可撓片と、前記前側撓み部の後端の他方の側縁寄りの位置を前記端子収容孔の他方の側壁に連結する第２可撓片と、を備えたことを特徴とする請求項１に記載のコネクタハウジング。
【請求項３】
前記第１可撓片及び前記第２可撓片は、前記前側撓み部の裏面から該裏面と略直交する方向に延出した支柱部と、該支柱部の先端から該支柱部と直交する方向に延出して前記端子収容孔の側壁に繋がる可撓アーム部と、を備えていることを特徴とする請求項２に記載のコネクタハウジング。
【発明の詳細な説明】
【技術分野】
【０００１】
本発明は、収容する端子金具を抜け止めする端子係止ランスを備えるコネクタハウジングに関する。
【背景技術】
【０００２】
図５は、下記特許文献１に開示されたコネクタハウジングの要部の斜視図である。
このコネクタハウジング１００は、樹脂の射出成形品で、後端側から端子金具が挿入される端子収容孔１１０と、この端子収容孔１１０の前端に位置する収容孔前端壁１２０と、端子収容孔１１０の一側に装備された端子係止ランス１３０と、を備えている。図５における矢印Ｘ１は、端子金具の挿入方向を示している。
【０００３】
収容孔前端壁１２０は、端子収容孔１１０に挿入される端子金具の前端に当接して端子金具を正規の装着位置に位置決めする。この収容孔前端壁１２０の中央には、相手端子挿通孔１２１が貫通形成されている。この相手端子挿通孔１２１は、端子収容孔１１０内に装着された端子金具に嵌合接続する相手端子金具が挿通可能な孔である。
【０００４】
端子係止ランス１３０は、その前後の両端がハウジングに繋がっている両持ち梁構造のもので、端子収容孔１１０の下側に装備されている。この端子係止ランス１３０は、撓み片１３１と、この撓み片１３１の中間部に突設された端子係止突起１３２と、を備えている。
【０００５】
撓み片１３１は、端子収容孔１１０の下側において、端子金具の挿入方向（図１のＸ１方向）に沿って延在している。また、撓み片１３１は、後端がハウジングの後端１０１に繋がり、且つ、前端がハウジングの前端１０２に繋がっている。この撓み片１３１の中間部は、端子金具の挿入方向と直交する方向（図１の矢印Ｙ１方向）に撓み変位可能に形成される。
【０００６】
撓み片１３１は、端子係止突起１３２よりも前方に位置する前側撓み部１３１ａと、端子係止突起１３２よりも後方に位置する後側撓み部１３１ｂと、を備えている。
【０００７】
前側撓み部１３１ａの前端側は、左右に分割され、左右の分割部１３１ａ１，１３１ａ２の外側面が、ハウジングの前端１０２の垂直壁部１０２ａに繋がっている。ハウジングの前端１０２の垂直壁部１０２ａは、端子収容孔１１０の両側壁を前方に延長した壁部である。
【０００８】
端子係止突起１３２は、端子収容孔１１０内に突出するように、撓み片１３１の中間部に突設されている。この端子係止突起１３２は、端子金具が端子収容孔１１０内の正規装着位置まで挿入されたときに、端子金具に係合して端子金具を抜け止めする。
【先行技術文献】
【特許文献】
【０００９】
【特許文献１】特許第３４１５１４０号公報
【発明の概要】
【発明が解決しようとする課題】
【００１０】
ところが、特許文献１のコネクタハウジング１００では、端子金具の挿入時、端子金具が適正位置に到達する途中では、端子金具の底部が端子係止ランス１３０の端子係止突起１３２と衝突し、端子係止突起１３２が端子収容孔１１０から退避する方向（図５では、矢印Ｙ２方向）に押し下げられる。このとき、端子係止突起１３２を押し下げる力は、当該端子係止ランス１３０の板厚方向に作用する。しかし、端子係止ランス１３０の中間部を支持する前側撓み部１３１ａの左右の分割部１３１ａ１，１３１ａ２は、その外側面がハウジングの前端１０２の垂直壁部１０２ａに繋がっているため、これらの分割部１３１ａ１，１３１ａ２には、図５に矢印Ｍ１，Ｍ２で示すような捩りモーメントが作用する。そのため、端子金具の挿入時に、左右の分割部１３１ａ１，１３１ａ２に捩れが生じ易い。従って、端子金具の挿入操作を繰り返したときに、捩れの繰り返しによって、前側撓み部１３１ａの耐久性が低下するおそれがあった。
【００１１】
また、特許文献１のコネクタハウジング１００の場合、端子係止ランス１３０は前側撓み部１３１ａの前端部と後側撓み部１３１ｂとの後端部とがハウジングと繋がっているが、前側撓み部１３１ａの前端部は、ハウジングと繋がる断面積が小さい。端子係止ランス１３０は、その形状から、射出成形時における樹脂の充填は、前側撓み部１３１ａの前端部が最終充填位置になりやすい。言い換えると、端子係止ランスへの樹脂の充填は、端子係止ランス１３０の後端側からのみ進行し、樹脂の充填性が悪いため、端子係止ランス１３０の成形性が悪いという問題があった。なお、最終充填位置となる前側撓み部１３１ａでは、強度低下を招くウェルドラインが形成され易い。
【００１２】
そこで、本発明の目的は、上記課題を解消することに係り、端子係止ランスに捩れが生じ難く、捩れに起因した耐久性の低下を防止することができ、しかも、射出整形による端子係止ランスの成形性を向上させることができ、かつ、端子係止ランスの前側撓み部におけるウェルドラインの形成を抑止して、端子係止ランスの強度を向上させることのできるコネクタハウジングを提供することにある。
【課題を解決するための手段】
【００１３】
本発明の前述した目的は、下記の構成により達成される。
（１）  後端側から端子金具が挿入される端子収容孔と、
前記端子収容孔の前端に位置し、前記端子収容孔に挿入される前記端子金具の前端に当接して前記端子金具を正規の装着位置に位置決めする収容孔前端壁と、
前記端子収容孔の一側において前記端子金具の挿入方向に沿って延在すると共に後端がハウジングの後端に繋がり前端がハウジングの前端に繋がり、前後方向の中間部が前記端子金具の挿入方向と直交する方向に撓み変位可能な撓み片と、前記端子収容孔内に突出するように前記撓み片の前後方向の中間部に突設されて前記端子金具が前記端子収容孔内の正規装着位置まで挿入されたときに前記端子金具に係合して前記端子金具を抜け止めする端子係止突起と、を備えた端子係止ランスと、
を備える樹脂製のコネクタハウジングであって、
前記撓み片の前記端子係止突起よりも前方に位置する前側撓み部の前端の前記端子収容孔側の面を前記収容孔前端壁に繋げる前端つなぎ部と、
前記前側撓み部の後端を前記端子収容孔の側壁に連結する後端つなぎ部と、
を備えたことを特徴とするコネクタハウジング。
【００１４】
（２）  前記後端つなぎ部は、前記前側撓み部の後端の一方の側縁寄りの位置を前記端子収容孔の一方の側壁に連結する第１可撓片と、前記前側撓み部の後端の他方の側縁寄りの位置を前記端子収容孔の他方の側壁に連結する第２可撓片と、を備えたことを特徴とする上記（１）に記載のコネクタハウジング。
【００１５】
（３）  前記第１可撓片及び前記第２可撓片は、前記前側撓み部の裏面から該裏面と略直交する方向に延出した支柱部と、該支柱部の先端から該支柱部と直交する方向に延出して前記端子収容孔の側壁に繋がる可撓アーム部と、を備えていることを特徴とする上記（２）に記載のコネクタハウジング。
【００１６】
上記（１）の構成によれば、端子金具の挿入時、端子金具が適正位置に到達する途中では、端子金具の底部が端子係止ランスの端子係止突起と衝突し、端子係止突起が端子収容孔から退避する方向に押し下げられる。このとき、端子係止突起を押し下げる力は、当該端子係止ランスの板厚方向に作用し、板厚方向の応力が端子係止ランスの中間部を支持する前側撓み部に伝達される。しかし、前側撓み部は、その前端の端子収容孔側の面が前端つなぎ部によって収容孔前端壁に繋げられているため、前側撓み部に伝達された板厚方向の応力は、そのまま前端つなぎ部に引張力応力として作用し、捩りモーメントにはならない。従って、端子係止ランスに捩れが生じ難く、捩れに起因した耐久性の低下を防止することができる。
【００１７】
また、上記（１）の構成によれば、端子係止ランスの中間部をハウジング前端に繋げる前側撓み部はその前端と後端のそれぞれがハウジングに繋がっていて、前側撓み部の強度が向上する。この前側撓み部の強度向上により、端子金具と係合する端子係止突起の支持強度が向上するため、端子係止ランスによる端子金具の係止性能を向上させることができる。
【００１８】
また、上記（１）の構成によれば、端子係止ランスの中間部をハウジング前端に繋げる前側撓み部はその前端と後端のそれぞれがハウジングに繋がっていて、射出整形時には、それぞれのつなぎ部が、端子係止ランスに樹脂を充填する樹脂供給口となる。従って、射出成形時に、端子係止ランスに樹脂を充填する樹脂供給口が増えたため、樹脂の充填性が向上し、射出整形による端子係止ランスの成形性を向上させることができる。
【００１９】
また、上記（１）の構成によれば、射出成形時には、前側撓み部には前端つなぎ部と後端つなぎ部の双方から樹脂が充填され、前側撓み部に対する樹脂の充填が速やかに進むため、前側撓み部の前端部が最終充填位置になることを回避することができる。これにより、端子係止ランスの前側撓み部におけるウェルドラインの形成を抑止して、端子係止ランスの強度を向上させることができる。
【００２０】
上記（２）の構成によれば、前側撓み部の後端をハウジングに繋ぐ後端つなぎ部は、第１可撓片と第２可撓片とを備え、これらの二つの可撓片が、当該端子係止ランスの幅方向の中心に対して対照的に並ぶ。そのため、端子金具の挿入途中で端子金具による押圧によって撓み片の前後方向の中間部が撓み変位するときに、前側撓み部に捩れが生じることを抑止することができる。
【００２１】
上記（３）の構成によれば、第１可撓片及び第２可撓片は、前側撓み部の裏面から垂下する支柱部と、この支柱部の先端から該支柱部と直交する方向に延出する可撓アーム部とで、Ｌ字状の構造となり、可撓アーム部の弾性強度を適宜に設定することで、前側撓み部に所望の撓み特性を付与することができる。従って、端子係止ランスに、過不足のない適度の弾性を付与することができ、端子係止ランスの剛性が高すぎて端子金具の装着性が低下したり、あるいは端子係止ランスの剛性が低すぎるために係止性能が低下するといった不都合の発生を防止することができる。
【発明の効果】
【００２２】
本発明によるコネクタハウジングによれば、端子係止ランスに捩れが生じ難く、捩れに起因した耐久性の低下を防止することができ、しかも、射出整形による端子係止ランスの成形性を向上させることができ、かつ、端子係止ランスの前側撓み部におけるウェルドラインの形成を抑止して、端子係止ランスの強度を向上させることができる。
【００２３】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２４】
【図１】図１は本発明に係るコネクタハウジングの一実施形態の要部の斜視図である。
【図２】図２は図１に示したコネクタハウジングの断面図である。
【図３】図３は図２のＡ矢視図である。
【図４】図４は図２のＢ−Ｂ断面図である。
【図５】図５は従来のコネクタハウジングの要部の斜視図である。
【発明を実施するための形態】
【００２５】
以下、本発明に係るコネクタハウジングの好適な実施形態について、図面を参照して詳細に説明する。
【００２６】
図１〜図４は本発明に係るコネクタハウジングの一実施形態を示したもので、図１は本発明に係るコネクタハウジングの一実施形態の要部の斜視図、図２は図１に示したコネクタハウジングの断面図、図３は図２のＡ矢視図、図４は図２のＢ−Ｂ断面図である。
【００２７】
この一実施形態のコネクタハウジング１は、樹脂の射出成形品で、後端側から端子金具が挿入される端子収容孔１０と、この端子収容孔１０の前端に位置する収容孔前端壁２０と、端子収容孔１０の一側（図２では、下側）に装備された端子係止ランス３０と、を備えている。図１及び図２における矢印Ｘ３は、端子金具の挿入方向を示している。
【００２８】
本実施形態のコネクタハウジング１の場合、端子収容孔１０は、上下２段に、且つ幅方向に複数列に装備されている。それぞれの端子収容孔１０は、ハウジングの後端から前端に貫通して設けられている。
【００２９】
収容孔前端壁２０は、端子収容孔１０に挿入される端子金具の前端に当接して、端子金具を正規の装着位置に位置決めする。この収容孔前端壁２０の中央には、相手端子挿通孔２１が貫通形成されている。この相手端子挿通孔２１は、端子収容孔１０内に装着された端子金具に嵌合接続する相手端子金具が挿通可能な孔である。相手端子挿通孔２１は角形の孔で、該相手端子挿通孔２１の周縁の４辺には、相手端子を相手端子挿通孔２１内に誘導する傾斜面２１ａが形成されている。
【００３０】
端子係止ランス３０は、その前後の両端がハウジングに繋がっている両持ち梁構造のもので、この実施形態では、端子収容孔１０の下側（図２で下側）に装備されている。この端子係止ランス３０は、撓み片３１と、この撓み片３１の中間部に突設された端子係止突起３２と、を備えている。
【００３１】
撓み片３１は、端子収容孔１０の下側において、端子金具の挿入方向（図１のＸ３方向）に沿って延在している。また、撓み片３１は、後端がハウジングの後端となる端子収容孔１０の底壁１１に繋がっている。また、撓み片３１は、その前端がハウジングの前端となる収容孔前端壁２０の下面２０ａに繋がっている。この撓み片３１はその前後端がハウジングに支持された略板ばね状で、その中間部が、端子金具の挿入方向と直交する方向（図１及び図２の矢印Ｙ３方向）に撓み変位可能に形成される。
【００３２】
本実施形態の撓み片３１は、端子係止突起３２よりも前方に位置する前側撓み部３１１と、端子係止突起３２よりも後方に位置する後側撓み部３１２と、を備えている。
【００３３】
前側撓み部３１１は、端子係止突起３２の前方には存在しておらず、端子係止突起３２の両側から２本の棒状片３１１ａ，３１１ｂとになって、ハウジング前方に延出している。そして、端子係止突起３２の両側からハウジング前方に延出した２本の棒状片３１１ａ，３１１ｂは、その前端が、前端つなぎ部３１４によって、ハウジングの前端である収容孔前端壁２０に繋がっている。
【００３４】
なお、本実施形態の場合、前端つなぎ部３１４は、前側撓み部３１１（各棒状片３１１ａ，３１１ｂ）の上面の高さ位置が収容孔前端壁２０の下面２０ａの高さ位置に一致しているため、前側撓み部３１１（棒状片３１１ａ，３１１ｂ）の前端の端子収容孔１０側の面（上面）である。この面である前端つなぎ部３１４が、各棒状片３１１ａ，３１１ｂの前端を収容孔前端壁２０の下面２０ａに繋げている。しかし、例えば、もしも、前側撓み部３１１の上面の高さ位置が、収容孔前端壁２０の下面２０ａの高さ位置から下方に離間している場合には、前端つなぎ部３１４は、前側撓み部３１１（各棒状片３１１ａ，３１１ｂ）の上面と収容孔前端壁２０の下面２０ａとを繋ぐ垂直な柱状にしても良い。
【００３５】
本実施形態の場合、前側撓み部３１１の後端である各棒状片３１１ａ，３１１ｂの後端は、後端つなぎ部３１５により、端子収容孔１０の側壁に連結されている。また、本実施形態の場合、後端つなぎ部３１５は、図３及び図４に示すように、第１可撓片３１６と、第２可撓片３１７と、を備えている。
【００３６】
なお、後端つなぎ部３１５の有無による形態の違いを明らかにするために、図１及び図２では、上下２段に配置された端子収容孔１０の内、上段の端子収容孔１０に臨む端子係止ランス３０には、後端つなぎ部３１５を装備していない。下段の端子収容孔１０に臨む端子係止ランス３０のみに後端つなぎ部３１５を装備している。しかし、本来は、いずれの段の端子係止ランス３０にも、後端つなぎ部３１５が装備される。
【００３７】
第１可撓片３１６は、図３に示すように、前側撓み部３１１の後端の一方の側縁寄りの位置である一方の棒状片３１１ａを、端子収容孔１０の一方の側壁１０ｂに連結している。
【００３８】
また、第２可撓片３１７は、図３に示すように、前側撓み部３１１の後端の他方の側縁寄りの位置である他方の棒状片３１１ｂを、端子収容孔１０の他方の側壁１０ｃに連結している。
【００３９】
また、本実施形態の場合、第１可撓片３１６及び第２可撓片３１７は、図３に示すように、前側撓み部３１１（棒状片３１１ａ，３１１ｂ）の裏面から該裏面と略直交する方向に延出した支柱部３１６ａ，３１７ａと、該支柱部３１６ａ，３１７ａの先端から該支柱部３１６ａ，３１７ａと直交する方向に延出して端子収容孔１０の側壁１０ｂ，１０ｃに繋がる可撓アーム部３１６ｂ，３１７ｂと、を備えたＬ字状の構造になっている。
【００４０】
撓み片３１の後側撓み部３１２の後端は、コネクタハウジング１の後端側に位置する端子収容孔１０の底壁１１に繋がることで、ハウジング後端に支持されている。
【００４１】
端子係止突起３２は、端子収容孔１０内に突出するように、撓み片３１の中間部に突設されている。この端子係止突起３２は、端子金具が端子収容孔１０内の正規装着位置まで挿入されたときに、端子金具に係合して端子金具を抜け止めする。
【００４２】
以上に説明した一実施形態のコネクタハウジング１の場合、端子金具の挿入時、端子金具が適正位置に到達する途中では、端子金具の底部が端子係止ランス３０の端子係止突起３２と衝突し、端子係止突起３２が端子収容孔１０から退避する下方向に押し下げられる。このとき、端子係止突起３２を押し下げる力は、当該端子係止ランス３０の板厚方向に作用し、板厚方向の応力が端子係止ランス３０の中間部を支持する前側撓み部３１１に伝達される。しかし、前側撓み部３１１は、その前端の端子収容孔１０側の面が前端つなぎ部３１４によって収容孔前端壁２０に繋げられているため、前側撓み部３１１に伝達された板厚方向の応力は、そのまま前端つなぎ部３１４に引張力応力として作用し、捩りモーメントにはならない。従って、端子係止ランス３０に捩れが生じ難く、捩れに起因した耐久性の低下を防止することができる。
【００４３】
また、一実施形態のコネクタハウジング１の場合、端子係止ランス３０の中間部をハウジング前端に繋げる前側撓み部３１１はその前端と後端のそれぞれがハウジングに繋がっていて、前側撓み部３１１の強度が向上する。この前側撓み部３１１の強度向上により、端子金具と係合する端子係止突起３２の支持強度が向上するため、端子係止ランス３０による端子金具の係止性能を向上させることができる。
【００４４】
また、一実施形態のコネクタハウジング１の場合、端子係止ランス３０の中間部をハウジング前端に繋げる前側撓み部３１１はその前端と後端のそれぞれがハウジングに繋がっていて、射出整形時には、それぞれのつなぎ部が、端子係止ランス３０に樹脂を充填する樹脂供給口となる。従って、射出成形時に、端子係止ランス３０に樹脂を充填する樹脂供給口が増えたため、樹脂の充填性が向上し、射出整形による端子係止ランス３０の成形性を向上させることができる。
【００４５】
また、一実施形態のコネクタハウジング１の場合、射出成形時には、前側撓み部３１１には前端つなぎ部３１４と後端つなぎ部３１５の双方から樹脂が充填され、前側撓み部３１１に対する樹脂の充填が速やかに進むため、前側撓み部３１１の前端部が最終充填位置になることを回避することができる。これにより、端子係止ランス３０の前側撓み部３１１におけるウェルドラインの形成を抑止して、端子係止ランス３０の強度を向上させることができる。
【００４６】
また、一実施形態のコネクタハウジング１の場合、前側撓み部３１１の後端をハウジングに繋ぐ後端つなぎ部３１５は、第１可撓片３１６と第２可撓片３１７とを備え、これらの二つの可撓片３１６，３１７が、当該端子係止ランス３０の幅方向の中心に対して対称的に並ぶ。そのため、端子金具の挿入途中で端子金具による押圧によって撓み片３１の前後方向の中間部が撓み変位するときに、前側撓み部３１１に捩れが生じることを抑止することができる。
【００４７】
また、一実施形態のコネクタハウジング１の場合、第１可撓片３１６及び第２可撓片３１７は、前側撓み部３１１の裏面から垂下する支柱部３１６ａ，３１７ａと、この支柱部３１６ａ，３１７ａの先端から該支柱部３１６ａ，３１７ａと直交する方向に延出する可撓アーム部３１６ｂ，３１７ｂとで、Ｌ字状の構造となっている。そのため、可撓アーム部３１６ｂ，３１７ｂの弾性強度を適宜に設定することで、前側撓み部３１１に所望の撓み特性を付与することができる。従って、端子係止ランス３０に、過不足のない適度の弾性を付与することができ、端子係止ランス３０の剛性が高すぎて端子金具の装着性が低下するという不都合を回避することができ、また、端子係止ランス３０の剛性が低すぎるために係止性能が低下するといった不都合の発生を防止することができる。
【００４８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４９】
ここで、上述した本発明に係るコネクタハウジングの実施形態の特徴をそれぞれ以下［１］〜［３］に簡潔に纏めて列記する。
【００５０】
［１］  後端側から端子金具が挿入される端子収容孔（１０）と、
前記端子収容孔（１０）の前端に位置し、前記端子収容孔（１０）に挿入される前記端子金具の前端に当接して前記端子金具を正規の装着位置に位置決めする収容孔前端壁（２０）と、
前記端子収容孔（１０）の一側において前記端子金具の挿入方向に沿って延在すると共に後端がハウジングの後端に繋がり前端がハウジングの前端に繋がり、前後方向の中間部が前記端子金具の挿入方向と直交する方向に撓み変位可能な撓み片（３１）と、前記端子収容孔（１０）内に突出するように前記撓み片（３１）の前後方向の中間部に突設されて前記端子金具が前記端子収容孔（１０）内の正規装着位置まで挿入されたときに前記端子金具に係合して前記端子金具を抜け止めする端子係止突起（３２）と、を備えた端子係止ランス（３０）と、
を備える樹脂製のコネクタハウジング（１）であって、
前記撓み片（３１）の前記端子係止突起（３２）よりも前方に位置する前側撓み部（３１１）の前端の前記端子収容孔（１０）側の面を前記収容孔前端壁（２０）に繋げる前端つなぎ部（３１４）と、
前記前側撓み部（３１１）の後端を前記端子収容孔（１０）の側壁に連結する後端つなぎ部（３１５）と、
を備えたことを特徴とするコネクタハウジング（１）。
【００５１】
［２］  前記後端つなぎ部（３１５）は、前記前側撓み部（３１１）の後端の一方の側縁寄りの位置を前記端子収容孔（１０）の一方の側壁（１０ｂ）に連結する第１可撓片（３１６）と、前記前側撓み部（３１１）の後端の他方の側縁寄りの位置を前記端子収容孔（１０）の他方の側壁（１０ｃ）に連結する第２可撓片（３１７）と、を備えたことを特徴とする上記［１］に記載のコネクタハウジング（１）。
【００５２】
［３］  前記第１可撓片（３１６）及び前記第２可撓片（３１７）は、前記前側撓み部（３１１）の裏面から該裏面と略直交する方向に延出した支柱部（３１６ａ，３１７ａ）と、該支柱部（３１６ａ，３１７ａ）の先端から該支柱部（３１６ａ，３１７ａ）と直交する方向に延出して前記端子収容孔（１０）の側壁に繋がる可撓アーム部（３１６ｂ，３１７ｂ）と、を備えていることを特徴とする上記［２］に記載のコネクタハウジング（１）。
【符号の説明】
【００５３】
１  コネクタハウジング
１０  端子収容孔
１０ｂ，１０ｃ  側壁
１１  底壁（ハウジング後端）
２０  収容孔前端壁
２０ａ  下面（ハウジング前端）
３０  端子係止ランス
３１  撓み片
３２  端子係止突起
３１１  前側撓み部
３１４  前端つなぎ部
３１５  後端つなぎ部
３１６  第１可撓片
３１６ａ  支柱部
３１６ｂ  可撓アーム部
３１７  第２可撓片
３１７ａ  支柱部
３１７ｂ  可撓アーム部
【図１】
2015079663.tif 000003
【図２】
2015079663.tif 000004
【図３】
2015079663.tif 000005
【図４】
2015079663.tif 000006
【図５】
2015079663.tif 000007